(57)【特許請求の範囲】
【請求項１】
一対の第１及び第２基板と、該第１及び第２基板間に挟持された液晶と、前記第１基板の前記液晶に対面する側にマトリクス状に設けられた複数の画素電極と、前記第１及び第２基板の一方に所定の第１方向に配列された複数のデータ線と、前記第１及び第２基板の他方に前記第１方向に交わる第２方向に配列された複数の走査線と、前記第１基板に形成された複数のデータ線又は走査線と前記複数の画素電極との間に夫々介在し双方向ダイオード特性を夫々有する複数の２端子型非線形素子とを備えた液晶表示パネルの駆動装置であって、
選択期間内において電圧値が連続的に増加又は減少するパルスからなる走査信号を前記走査線に供給する走査信号駆動手段と、
前記選択期間内において前記走査信号のパルスの電圧値との差により前記２端子型非線形素子をオン状態にする電圧値をとる第１期間の幅を表示データの階調レベルに応じて変化させつつ、前記選択期間内において前記第１期間を除く第２期間に前記走査信号のパルスの電圧値との差により前記２端子型非線形素子をオフ状態にする電圧値をとるデータ信号を、前記データ線に供給するデータ信号駆動手段と、を備え、
前記走査信号駆動手段は、前記第１期間の幅が前記階調レベルに応じて等間隔になるように前記パルスの電圧値が非線形に変化する前記走査信号を生成する
ことを特徴とする液晶表示パネルの駆動装置。
【請求項２】
前記データ信号駆動手段は、前記選択期間を除く非選択期間に前記オフ状態にする電圧値をとるように前記データ信号を生成することを特徴とする請求項１に記載の液晶表示パネルの駆動装置。
【請求項３】
前記走査信号駆動手段は、前記パルスの電圧値が前記選択期間内に増加するように前記走査信号を生成し、
前記データ信号駆動手段は、前記オン状態にする電圧値と前記オフ状態にする電圧値との２値の前記データ信号を生成することを特徴とする請求項１又は２に記載の液晶表示パネルの駆動装置。
【請求項４】
前記第１期間の幅が最小となる場合の第１期間の終了時点における前記差が前記液晶表示パネルの画素における透過率の変化が始まる電圧に相当し、前記第１期間の幅が最大となる場合の前記第１期間の終了時点における前記差が前記透過率が飽和する電圧に相当するように、前記走査信号駆動手段及び前記データ信号駆動手段は、前記走査信号及び前記データ信号を夫々生成することを特徴とする請求項３に記載の液晶表示パネルの駆動装置。
【請求項５】
前記走査信号駆動手段は、前記パルスの電圧値が前記選択期間内に減少するように前記走査信号を生成し、
前記データ信号駆動手段は、前記オン状態にする電圧値と前記オフ状態にする電圧値との２値の前記データ信号を生成することを特徴とする請求項１又は２に記載の液晶表示パネルの駆動装置。
【請求項６】
一対の第１及び第２基板と、該第１及び第２基板間に挟持された液晶と、前記第１基板の前記液晶に対面する側にマトリクス状に設けられた複数の画素電極と、前記第１及び第２基板の一方に所定の第１方向に配列された複数のデータ線と、前記第１及び第２基板の他方に前記第１方向に交わる第２方向に配列された複数の走査線と、前記第１基板に形成された複数のデータ線又は走査線と前記複数の画素電極との間に夫々介在し双方向ダイオード特性を夫々有する複数の２端子型非線形素子とを備えた液晶表示パネルの駆動装置であって、
選択期間内において電圧値が連続的に減少するパルスからなる走査信号を前記走査線に供給する走査信号駆動手段と、
前記選択期間内において前記走査信号のパルスの電圧値との差により前記２端子型非線形素子をオン状態にする電圧値をとる第１期間の幅を表示データの階調レベルに応じて変化させつつ、前記選択期間内において前記第１期間を除く第２期間に前記走査信号のパルスの電圧値との差により前記２端子型非線形素子をオフ状態にする電圧値をとるデータ信号を、前記データ線に供給するデータ信号駆動手段と、を備える
ことを特徴とする液晶表示パネルの駆動装置。
【請求項７】
前記第１期間の幅が最大となる場合の第１期間の開始時点における前記差が前記液晶表示パネルの画素における透過率の変化が始まる電圧に相当し、前記第１期間の幅が最小となる場合の第１期間の開始時点における前記差が前記透過率が飽和する電圧に相当するように、前記走査信号駆動手段及び前記データ信号駆動手段は、前記走査信号及び前記データ信号を夫々生成することを特徴とする請求項６に記載の液晶表示パネルの駆動装置。
【請求項８】
前記走査信号駆動手段は、前記選択期間を除く非選択期間において所定のバイアス電圧を含む前記走査信号を生成することを特徴とする請求項１から７のいずれか一項に記載の液晶表示パネルの駆動装置。
【請求項９】
請求項１から８のいずれか一項に記載の液晶表示パネルの駆動装置と前記液晶表示パネルとを備えたことを特徴とする液晶表示装置。
【請求項１０】
請求項９に記載の液晶表示装置を備えたことを特徴とする電子機器。
【発明の詳細な説明】
【０００１】
【発明の属する技術分野】
本発明は、液晶表示パネルの駆動装置、液晶表示装置及び電子機器の技術分野に属し、特に、ＭＩＭ（Metal Insulator Metal）駆動素子等の双方向ダイオード特性を有する２端子型非線形素子を用いたアクティブマトリクス駆動方式の液晶表示パネルの駆動装置、該駆動装置を備えた液晶表示装置（液晶表示モジュール）及び該液晶表示装置を備えた電子機器の技術分野に属する。
【０００２】
【従来の技術】
従来、アクティブマトリクス駆動方式の液晶表示パネルとしては、ＴＦＴ（薄膜トランジスタ）駆動素子を用いたものの他に、ＭＩＭ駆動素子等の双方向ダイオード特性を有する２端子型非線形素子を用いたものがある。ＭＩＭ駆動素子等は、急峻なしきい値を持つため、従来の単純マトリクス駆動方式と比較すると画素間におけるクロストークの問題が少ない点で有利であり、ＴＦＴ駆動素子と比較すると、素子構成や製造工程が比較的簡易な点で有利である。
【０００３】
この種のＭＩＭ駆動素子等を用いた液晶表示パネルにおける階調表示の基本原理をここで説明する。図２０に示したように、一方で、各画素電極にＭＩＭ駆動素子を介して接続された走査線に、選択期間を規定する幅及びＭＩＭ駆動素子のしきい値電圧よりも低い所定の電圧値（波高値）を有するパルス状の走査信号ＶＳを供給する。他方で、この選択期間に、画素電極に液晶を挟んで対向するデータ線（対向電極）に所定の電圧値（波高値）を有するパルスからなるデータ信号ＶＤを供給する。このとき、選択期間内における、これらの電圧値の差（ＶＳ−ＶＤ）がＭＩＭ駆動素子のしきい値電圧を越えるように設定しておけば、両者が供給された画素においてのみＭＩＭ駆動素子がオン状態とされる。この結果、液晶を挟んで画素電極及びデータ線（対向電極）間に電圧が充電され、即ち液晶には印加電圧が印加される。ここで特に、走査信号ＶＳと協動してＭＩＭ駆動素子をオン状態とするに足りる電圧値の範囲で、図２０に示したように、例えば、電圧値ＶＤ１→ＶＤ２のように、データ信号ＶＤをなすパルスの電圧値を変化（即ち、振幅変調）させれば、印加電圧は変化する。この結果、印加電圧の変化に応じて、液晶表示パネルの透過率は変化し、階調表示が行われる。
【０００４】
以上がデータ信号の振幅変調による階調表示の基本原理であるが、実際の駆動回路の場合には、液晶を交流駆動する等のために、走査信号及びデータ信号は、１フィールド毎に極性が反転され、更にフリッカを防止する等のために、データ信号は一選択期間毎に極性が反転される方式が一般に用いられている。従って、データ信号は、図２０に示したパルスを含む、図２１に示したような＋ＶＤ及び−ＶＤの２値信号からなる。また、このような駆動方式を安定して行うために、走査信号には、＋の電圧のパルスの後には＋のバイアス電圧が印加され、−の電圧のパルスの後には−のバイアス電圧が印加される方式が採られている。
【０００５】
このようにデータ信号の振幅変調を行うデータ信号駆動回路には、例えばアナログＲＧＢ信号からデータ信号を生成するアナログ方式のものと、例えばデジタルＲＧＢ信号からデータ信号を生成するデジタル方式のものとがある。
【０００６】
アナログ方式のデータ信号駆動回路は、従来のＣＲＴと基本的に同じフォーマットのアナログ映像情報を当該駆動回路に入力して直接処理できる、必要な入力配線数が少ない、ＣＲＴ（Cathode Ray Tube）を液晶表示パネルに置き換えるのが容易である等の長所がある。他方、デジタル方式のデータ信号駆動回路は、マルチメディアに対応したデジタル映像情報をデジタル−アナログ変換を行うことなく当該駆動回路に入力して直接処理できる、映像情報の伝送中における劣化に起因してデータ信号の精度が低下しない、デジタル−アナログ変換に伴う信号の劣化を未然に防げる等の長所がある。
【０００７】
【発明が解決しようとする課題】
特に、ＭＩＭ駆動素子等を用いたアクティブマトリクス駆動方式の液晶表示パネルにおいては、階調数を増やして高品位の画像表示を実現しつつも、比較的簡易な装置構成や製造工程という独自の長所を生かして低コスト化を実現するという一般的な要請がある。
【０００８】
しかしながら、前述した従来の技術によれば、以下の問題点がある。
【０００９】
先ず、前述のアナログ方式のデータ信号駆動回路によれば、入力された無限階調の映像情報を忠実に再現すべくデータ信号の振幅を制御するのは容易なことではない。即ち、多階調で高品位の画像表示のためには、単純にデータ信号個々の電圧制御の精度を上げるしかなく、出力電圧精度及び動作速度に優れたデータ信号駆動回路が必用となってしまう。更に、この種の液晶表示パネルでは、１行分のデータ信号を、一走査線に供給される走査パルスのタイミングで同時に複数の走査線に供給する所謂線順次の時分割駆動方法が一般的であるが、前述のアナログ方式のデータ信号駆動回路によれば、その一般的構成要素たるサンプルホールド回路に係る周波数特性上、画素数が多い液晶表示パネルを駆動することができなくなってしまう。更にまた、マルチメディア対応のデジタル映像信号を液晶表示パネルに表示させる際には、特に多階調になればなる程、必要なデジタル−アナログ変換についての負担が増大してしまう。
【００１０】
他方、前述のデジタル方式のデータ信号駆動回路によれば、例えばＲＧＢの各色に対して２５６階調（即ち、各色について８ビットの合計２４ビットのデジタルＲＧＢ信号）で階調表示を行う場合に、駆動周波数を下げるために多層展開すると、数ボルトの範囲の電圧を２５６階調に割り当てた１０ｍＶ程度の精度でデータ線を駆動しなければならない。更に、例えば、一色について３ビットの８階調のデジタル信号で階調表示を行う場合には、必要となる電圧レベルは、前述のように液晶を交流駆動するために、１６個（＋側に８レベル、−側に８レベル）となる。また例えば、一色について６ビットの６４階調のデジタル信号で階調表示を行う場合には、必要となる電圧レベルは、前述のように液晶を交流駆動するために、６４個（＋側に３２レベル、−側に３２レベル）となる。このようにデジタル信号のビット数が増えるにつれて必要となる電圧レベルの数は指数的に増加するため、例えば、抵抗分圧回路及びアナログスイッチなどから構成された従来の電圧選択回路で対処するのは困難である。
【００１１】
以上のように、アナログ方式のデータ信号駆動回路であれ、デジタル方式のデータ信号駆動回路であれ、データ信号の振幅制御により階調レベルを制御する従来の方式による限り、必要な電圧出力精度や動作速度を現在の集積回路技術により実現するのは困難である。
【００１２】
また、ＭＩＭ駆動素子等を用いた液晶表示パネルにおいて、階調表示を行う方式として、例えばＰＷＭ（パルス幅変調）のように、１選択期間中のデータ信号の２値を取る時間的な割合を階調レベルに応じて制御することにより行う方式も考えられないではない。しかしながら、この方式では、ＭＩＭ駆動素子をオン状態としている最中の走査信号ＶＳとデータ信号ＶＤとの電位差が一定であるので、仮に各選択期間において液晶への充電を飽和状態になるまで行ったのでは、階調制御は全く出来ないことになる。このため、ＭＩＭ駆動素子を介しての液晶への充電の途中で（液晶の印加電圧実効値が上昇している最中に）、ＭＩＭ駆動素子をオン状態からオフ状態に切換え、しかも、この僅かな時間内における切換え時点を階調レベルの差に対応して制御せねばならないことになり、タイミング制御等に係る装置構成が根本的に複雑高度化することが予想される。
【００１３】
本発明は上述した問題点に鑑みなされたものであり、比較的簡易な構成を用いて多階調化を可能ならしめる、ＭＩＭ駆動素子等の双方向ダイオード特性を有する２端子型非線形素子を用いたアクティブマトリクス駆動方式の液晶表示パネルの駆動装置、該駆動装置を備えた液晶表示装置及び該液晶表示装置を備えた電子機器を提供することを課題とする。
【００１４】
【課題を解決するための手段】
本発明の液晶表示パネルの駆動装置は、上記課題を解決するために、一対の第１及び第２基板と、該第１及び第２基板間に挟持された液晶と、前記第１基板の前記液晶に対面する側にマトリクス状に設けられた複数の画素電極と、前記第１及び第２基板の一方に所定の第１方向に配列された複数のデータ線と、前記第１及び第２基板の他方に前記第１方向に交わる第２方向に配列された複数の走査線と、前記第１基板に形成された複数のデータ線又は走査線と前記複数の画素電極との間に夫々介在し双方向ダイオード特性を夫々有する複数の２端子型非線形素子とを備えた液晶表示パネルの駆動装置であって、選択期間内において電圧値が連続的に増加又は減少するパルスからなる走査信号を前記走査線に供給する走査信号駆動手段と、前記選択期間内において前記走査信号のパルスの電圧値との差により前記２端子型非線形素子をオン状態にする電圧値をとる第１期間の幅を表示データの階調レベルに応じて変化させつつ、前記選択期間内において前記第１期間を除く第２期間に前記走査信号のパルスの電圧値との差により前記２端子型非線形素子をオフ状態にする電圧値をとるデータ信号を、前記データ線に供給するデータ信号駆動手段と、を備え、  前記走査信号駆動手段は、前記第１期間の幅が前記階調レベルに応じて等間隔になるように前記パルスの電圧値が非線形に変化する前記走査信号を生成することを特徴とする。
【００１５】
上記液晶表示パネルの駆動装置によれば、一方で、走査信号駆動手段により、走査信号が生成され、少なくとも一行毎に複数の走査線に時分割で供給される。他方で、データ信号駆動手段により、データ信号が生成され、少なくとも一列毎に複数のデータ線に供給される。ここで、走査信号は、選択期間内において第１期間に２端子型非線形素子をオン状態にする電圧値をとり、第２期間に２端子型非線形素子をオフ状態にする電圧値をとる、例えばパルス信号、２値信号等の信号である。従って、当該選択期間のうち第１期間においてのみ、２端子型非線形素子はオン状態とされ、この第１期間には画素電極及び該画素電極に液晶を挟んで対向する対向電極としての走査線又は信号線の間の電圧が液晶に印加電圧として印加される。ここで、走査信号は、電圧値が連続的に増加又は減少するパルスからなるので、この第１期間の終了時点で液晶に印加される電圧は、第１期間の幅がΔＴだけ異なれば、そのΔＴの間に増加又は減少する走査信号の変化分だけ異なることになる。そして、第１期間が終了して、第２期間になると、２端子型非線形素子はオフ状態となるので、当該液晶層に印加される印加電圧は、液晶やオフ状態にある２端子型非線形素子を流れる電流を無視すれば、一定（即ち、第１期間の終了時点で印加される電圧）に保たれる。そして、例えば次のフィールドで再び２端子型非線形素子がオン状態とされるまで、この印加電圧は保持される。従って、データ信号駆動手段により、第１期間を、選択期間に対応する画素に表示すべき表示データの階調レベルに応じて、例えばフィールド毎に変化させる（即ち、変調する）と、対応する画素における液晶に印加される印加電圧が、階調レベルに応じてフィールド毎に変化する。この結果、対応する画素における液晶表示パネルの透過率が、階調レベルに応じて例えばフィールド毎に変化することとなり、当該駆動装置により表示データに応じて液晶表示パネルにおける階調表示が行われる。
【００１６】
加えて、第１期間の変化が階調レベルに応じて等間隔になるように、走査信号をなすパルスの電圧値が非線形に変化する。ここで一般に、液晶表示パネル及びその駆動回路においては、走査信号の電圧値に対し、液晶表示パネルの透過率は非線形な特性を示す。より具体的には、仮に２端子型非線形素子をオン状態にする条件下で、データ信号の電圧値を固定して、走査信号の電圧値を一定の割合で変化させても、液晶における階調レベルは一定の割合では変化しない。本発明においても、例えば走査信号を選択期間に一定傾きで増加又は減少するように設定した場合には、第１期間の変化は階調レベルに応じて等間隔にはならない。この場合には、例えば、階調レベルが高くなる程、第１期間の変化は徐々に小さく又は大きくなるようにせねばならない。しかるに本請求項の発明では、第１期間の変化が階調レベルに応じて等間隔になるように、例えば走査信号が電圧値が増加するパルスからなる場合に第１期間の終了に近付く程にその増加率が大きくなるように、このパルスの電圧値を非線形に変化させる。このため、走査信号の電圧値に対する液晶表示パネルの透過率が非線形な特性を示す液晶表示パネル及びその駆動回路においても、該非線形な特性に拘わらず、第１期間の変化が階調レベルに応じて等間隔とされる。
【００１７】
さらに、前記データ信号駆動手段は、前記選択期間を除く非選択期間に前記オフ状態にする電圧値をとるように前記データ信号を生成することを特徴とする。
【００１８】
上記液晶表示パネルの駆動装置によれば、データ信号駆動手段により生成されるデータ信号は、選択期間を除く非選択期間にオフ状態にする電圧値をとる。従って、選択期間内において第２期間の終了時にオフ状態にある２端子型非線形素子は、非選択期間に入ってもそのままオフ状態とされるので、液晶層に印加される印加電圧は、液晶やオフ状態にある２端子型非線形素子を流れる電流を無視すれば、一定に保たれる。そして、次のフィールドで、再び２端子型非線形素子がオン状態とされるまで、この印加電圧は保持される。
【００１９】
さらに、前記走査信号駆動手段は、前記パルスの電圧値が前記選択期間内に増加するように前記走査信号を生成し、前記データ信号駆動手段は、前記オン状態にする電圧値と前記オフ状態にする電圧値との２値の前記データ信号を生成することを特徴とする。
【００２０】
上記液晶表示パネルの駆動装置によれば、走査信号駆動手段により走査信号が生成され、データ信号駆動手段により、オン状態にする電圧値とオフ状態にする電圧値との２値のデータ信号が生成される。ここで、走査信号は、パルスの電圧値が選択期間内に増加するように生成されるので、第１期間の終了時点で液晶に印加される電圧は、第１期間の幅がΔＴだけ増加すれば、そのΔＴの間に増加する走査信号の変化分（例えば、増加の割合を一定値α［電圧／時間］とすれば、α×ΔＴ）だけ増加することになる。従って、データ信号駆動手段により、第１期間を表示データの階調レベルに応じて変化させると、液晶に印加される印加電圧が、階調レベルに応じて変化する。
【００２１】
さらに、前記第１期間の幅が最小となる場合の第１期間の終了時点における前記差が前記液晶表示パネルの画素における透過率の変化が始まる電圧に相当し、前記第１期間の幅が最大となる場合の前記第１期間の終了時点における前記差が前記透過率が飽和する電圧に相当するように、前記走査信号駆動手段及び前記データ信号駆動手段は、前記走査信号及び前記データ信号を夫々生成することを特徴とする。
【００２２】
上記液晶表示パネルの駆動装置によれば、第１期間が最小となる場合、第１期間の終了時点における電圧差が、液晶表示パネルの透過率の変化を開始する電圧（即ち、ノーマリーホワイトモードで階調レベルを最低とし、或いはノーマリーブラックモードで階調レベルを最高とする電圧）に相当する。従って、第１期間の終了時点で液晶に印加され、次に２端子型非線形素子がオン状態とされる選択期間が来るまでの間に、液晶に印加される印加電圧は、この液晶表示パネルの透過率の変化が開始する電圧に保持される。また第１期間が最大となる場合、第１期間の終了時点における電圧差が、透過率が飽和する電圧（即ち、ノーマリーホワイトモードで階調レベルを最高とし、或いはノーマリーブラックモードで階調レベルを最高とする電圧）に相当する。従って、第１期間の終了時点で液晶に印加され、次に２端子型非線形素子がオン状態とされる選択期間が来るまでの間に、液晶に印加される印加電圧は、この液晶表示パネルの透過率が飽和する電圧に保持される。
【００２３】
さらに、前記走査信号駆動手段は、前記パルスの電圧値が前記選択期間内に減少するように前記走査信号を生成し、前記データ信号駆動手段は、前記オン状態にする電圧値と前記オフ状態にする電圧値との２値の前記データ信号を生成することことを特徴とする。
【００２４】
上記液晶表示パネルの駆動装置によれば、走査信号駆動手段により走査信号が生成され、データ信号駆動手段により、オン状態にする電圧値とオフ状態にする電圧値との２値のデータ信号が生成される。ここで、走査信号は、パルスの電圧値が選択期間内に減少するように生成され、第１期間は選択期間（ＴＳ）の後半にもうけられているため、第１期間の開始時点のみ２端子型非線形素子がオン状態となり、この瞬間に印加された電圧が第１期間の終了時点まで保持される。従って、データ信号駆動手段により、第１期間の開始時点を表示データの階調レベルに応じて変化させると、液晶に印加される印加電圧が、階調レベルに応じて変化する。
【００２５】
また、本発明の液晶表示パネルの駆動装置は、上記課題を解決するために、一対の第１及び第２基板と、該第１及び第２基板間に挟持された液晶と、前記第１基板の前記液晶に対面する側にマトリクス状に設けられた複数の画素電極と、前記第１及び第２基板の一方に所定の第１方向に配列された複数のデータ線と、前記第１及び第２基板の他方に前記第１方向に交わる第２方向に配列された複数の走査線と、前記第１基板に形成された複数のデータ線又は走査線と前記複数の画素電極との間に夫々介在し双方向ダイオード特性を夫々有する複数の２端子型非線形素子とを備えた液晶表示パネルの駆動装置であって、  選択期間内において電圧値が連続的に減少するパルスからなる走査信号を前記走査線に供給する走査信号駆動手段と、前記選択期間内において前記走査信号のパルスの電圧値との差により前記２端子型非線形素子をオン状態にする電圧値をとる第１期間の幅を表示データの階調レベルに応じて変化させつつ、前記選択期間内において前記第１期間を除く第２期間に前記走査信号のパルスの電圧値との差により前記２端子型非線形素子をオフ状態にする電圧値をとるデータ信号を、前記データ線に供給するデータ信号駆動手段と、を備えることを特徴とする。
【００２６】
上記液晶表示パネルの駆動装置によれば、走査信号駆動手段により走査信号が生成され、データ信号駆動手段により、オン状態にする電圧値とオフ状態にする電圧値のデータ信号が生成される。ここで、走査信号は、パルスの電圧値が選択期間内に減少するように生成され、第１期間は選択期間（ＴＳ）の後半にもうけられているため、第１期間の開始時点のみ２端子型非線形素子がオン状態となり、この瞬間に印加された電圧が第１期間の終了時点まで保持される。従って、データ信号駆動手段により、第１期間の開始時点を表示データの階調レベルに応じて変化させると、液晶に印加される印加電圧が、階調レベルに応じて変化する。
【００２７】
さらに、前記データ信号駆動手段により変化される前記第１期間が最大となる場合の第１期間の開始時点における前記差が前記対応する画素における前記液晶表示パネルの透過率の変化を開始する電圧に相当し、前記データ信号駆動手段により変化される前記第１期間が最小となる場合の第１期間の開始時点における前記差が前記透過率が飽和する電圧に相当するように、前記走査信号駆動手段及び前記データ信号駆動手段は、前記走査信号及び前記データ信号を夫々生成することを特徴とする。
【００２８】
上記液晶表示パネルの駆動装置によれば、第１期間が最大となる場合、第１期間の開始時点における電圧差が、液晶表示パネルの透過率の変化が開始する電圧（即ち、ノーマリーホワイトモードで階調レベルを最低とし、或いはノーマリーブラックモードで階調レベルを最高とする電圧）に相当する。従って、第１期間の開始時点のみオン状態となり、その時点での電圧差が液晶に印加され、次に２端子型非線形素子がオン状態とされる選択期間が来るまでの間に、液晶に印加される印加電圧は、この液晶表示パネルの透過率の変化が開始する電圧に保持される。また第１期間が最小となる場合、第１期間の開始時点における電圧差が、透過率が飽和する電圧（即ち、ノーマリーホワイトモードで階調レベルを最高とし、或いはノーマリーブラックモードで階調レベルを最低とする電圧）に相当する。従って、第１期間の開始時点のみオン状態となり、その時点での電圧差が液晶に印加され、次に２端子型非線形素子がオン状態とされる選択期間が来るまでの間に、液晶に印加される印加電圧は、この液晶表示パネルの透過率が飽和する電圧に保持される。
【００２９】
また、上記液晶表示パネルの駆動装置において、前記走査信号駆動手段は、前記選択期間を除く非選択期間において所定のバイアス電圧を含む前記走査信号を生成することを特徴とする。
【００３０】
上記液晶表示パネルの駆動装置によれば、走査信号駆動手段により、非選択期間において、例えば正の電圧値のパルスの後には正のバイアス電圧、或いは負の電圧値のパルスの後には負のバイアス電圧というように、所定のバイアス電圧を含む走査信号が生成される。バイアス電圧が印加されているので、データ信号における２端子非線形素子をオン状態にする電圧値及びオフ状態にする電圧値がとりうる値の範囲が広がる。
【００３１】
また、本発明の液晶表示装置は、上記液晶表示パネルの駆動装置と前記液晶表示パネルとを備えたことを特徴とする。
【００３２】
上記液晶表示装置（液晶表示モジュール）によれば、液晶表示パネルは、特に２端子型非線形素子を備えているが、上述した本願発明の駆動装置により、装置全体として比較的簡易な構成により、多階調表示が可能である。
【００３３】
また、本発明の電子機器は上記課題を解決するために上記の液晶表示装置を備えたことを特徴とする。
本発明の電子機器によれば、電子機器は、上述した本願発明の液晶表示装置を備えており、機器全体として比較的簡易な構成により多階調表示が可能である。
【００３４】
本発明のこのような作用及び他の利得は次に説明する実施の形態から明らかにされよう。
【００３５】
【発明の実施の形態】
以下、本発明の実施の形態を図面に基づいて説明する。
【００３６】
（ＭＩＭ駆動素子）
図１は、本発明の実施の形態における液晶表示パネルに備えられた２端子型非線形素子の一例としてのＭＩＭ駆動素子を画素電極と共に模式的に示す平面図であり、図２は、図１のＡ−Ａ断面図である。
【００３７】
図１及び図２において、ＭＩＭ駆動素子２０は、第１基板の一例を構成するＭＩＭアレイ基板３０上に形成された絶縁膜３１を下地として、その上に形成されており、絶縁膜３１の側から順に第１金属膜２２、絶縁層２４及び第２金属膜２６から構成され、ＭＩＭ構造（Metal  Insulator  Metal構造）を持つ。そして、２端子型のＭＩＭ駆動素子２０の第１金属膜２２は、一方の端子としてＭＩＭアレイ基板３０上に形成された走査線１２に接続されており、第２金属膜２６は、他方の端子として画素電極３４に接続されている。尚、走査線１２に代えてデータ線（図４参照）をＭＩＭアレイ基板３０上に形成し、画素電極３４に接続してもよい。また、第２金属膜２６は、画素電極３４と共用し同一でもよいし、或いは同形状として夫々設けてもよい。
【００３８】
ＭＩＭアレイ基板３０は、例えばガラス、プラスチックなどの絶縁性及び透明性を有する基板からなる。下地をなす絶縁膜３１は、例えば酸化タンタルからなる。この絶縁膜３１は、第２金属膜２６形成後の熱処理による第１金属膜２２の剥離が生じないこと、及び基板３０から第１金属膜２２への不純物の拡散を防止することを目的として形成されているので、これらのことが問題とならない場合は、必ずしも必要でない。第１金属膜２２は、導電性の金属薄膜からなり、例えば、タンタル単体又はタンタル合金からなる。若しくは、タンタル単体又はタンタル合金を主成分として、これに例えば、タングステン、クロム等の元素を添加してもよい。絶縁膜２４は、例えば化成液中で第１金属膜２２の表面に陽極酸化により形成された酸化膜からなる。第２金属膜２６は、導電性の金属薄膜からなり、例えば、クロム単体又はクロム合金からなる。画素電極３４は、例えばＩＴＯ（Indium  Tin  Oxide）膜等の、透明導電膜からなる。
【００３９】
図３に、以上のように構成されたＭＩＭ駆動素子２０の電流−電圧特性を示す。
【００４０】
図３から明らかなように、ＭＩＭ駆動素子は、非線形な電流−電圧特性を有しており、双方向にほぼ対称であり、電圧値がＶth及び−Ｖthのところに夫々、急峻なしきい値を持つ。即ち、 ＭＩＭ駆動素子は、しきい値電圧Ｖth及び−Ｖthの間では、オフ状態（即ち高抵抗状態）となり、しきい値電圧Ｖth及び−Ｖthを＋側又は−側に越えるとオン状態（低抵抗状態）となる。従って、これらの観点からは、当該液晶表示パネル用のスイッチング素子として適している。
【００４１】
尚、２端子型非線形素子の一例として、ＭＩＭ駆動素子について説明したが、ＺｎＯ（酸化亜鉛）バリスタ、ＭＳＩ（Metal  Semi-Insulator）駆動素子、ＲＤ（Ring  Diode）などのスイッチング素子も、本実施の形態の液晶表示パネルに用いることが出来る。
【００４２】
（液晶表示パネル）
次に、上述のＭＩＭ駆動素子２０を用いたアクティブマトリクス駆動方式の液晶表示パネルについて図４から図６を参照して説明する。尚、図４は、液晶表示パネルを駆動回路と共に示した等価回路図であり、図５は、液晶表示パネルを模式的に示す部分破断斜視図であり、図６は、液晶表示パネルの印加電圧に対する透過率特性を示すグラフである。
【００４３】
図４において、液晶表示パネル１０は、ＭＩＭアレイ基板３０上に配列された複数の走査線１２が走査信号駆動回路１００に接続されており、対向基板上に配列され対向電極としての機能も有する複数のデータ線１４がデータ信号駆動回路１１０に接続されている。尚、走査信号駆動回路１００及びデータ信号駆動回路１１０は、図１及び図２に示したＭＩＭアレイ基板３０又はその対向基板上に形成されていてもよく、この場合には、駆動回路を含んだ液晶表示装置（液晶表示パネル）となる。或いは、走査信号駆動回路１００及びデータ信号駆動回路１１０は、液晶表示パネルとは独立したＩＣから構成され、所定の配線を経て走査線１２やデータ線１４に接続されてもよく、この場合には、駆動回路を含まない液晶表示装置（液晶表示モジュール）となる。
【００４４】
各画素領域１６において、走査線１２は、ＭＩＭ駆動素子２０の一方の端子に接続されており（図１参照）、データ線１４は、液晶層１８及び図１に示した画素電極３４を介してＭＩＭ駆動素子２０の他方の端子に接続されている。従って、各画素領域１６に対応する走査線１２に走査信号が供給され、データ線１４にデータ信号が供給されると、当該画素領域におけるＭＩＭ駆動素子２０がオン状態（即ち、低抵抗状態）となり、ＭＩＭ駆動素子２０を介して、画素電極３４と対向電極としてのデータ線１４との間にある液晶層１８に駆動電圧が印加される。
【００４５】
尚、ＴＡＢ（テープオートメイテッドボンディング）方式で実装された走査信号駆動回路１００及びデータ信号駆動回路１１０を含むＬＳＩに、ＭＩＭアレイ基板３０の周辺部に設けられた異方性導電フィルムを介して走査線１２及びデータ線１４を接続する構成を採れば、液晶表示パネル１０の製造がより容易となり、装置構成上の融通性も高まる。また、ＣＯＧ（チップオンガラス）方式でＭＩＭアレイ基板３０及び対向基板３２上に、走査信号駆動回路１００及びデータ信号駆動回路１１０を含むＬＳＩを実装する構成を採れば、液晶表示パネル１０の製造が更に容易となり、信頼性も向上する上、装置構成が簡易化され、組み込み性も高まる。
【００４６】
図５において、液晶表示パネル１０は、ＭＩＭアレイ基板３０と、これに対向配置される透明な第２基板の一例を構成する対向基板３２とを備えている。対向基板３２は、例えばガラス基板からなる。ＭＩＭアレイ基板３０には、マトリクス状に複数の透明な画素電極３４が設けられている。複数の画素電極３４は、所定のＸ方向に沿って夫々延びておりＸ方向に直交するＹ方向に配列された複数の走査線１２にＭＩＭ駆動素子２０を介して夫々接続されている。画素電極３４、ＭＩＭ駆動素子２０、走査線１２等の液晶に面する側には、例えばポリイミド薄膜などの有機薄膜からなりラビング処理等の所定の配向処理が施された配向膜が設けられている。
【００４７】
他方、対向基板３２には、Ｙ方向に沿って夫々延びておりＸ方向に短冊状に配列された複数のデータ線１４が設けられている。データ線１４は、液晶層１８を挟んで、画素電極３４と対向配置された対向電極としての部分も含む。データ線１４の下側には、例えばポリイミド薄膜などの有機薄膜からなりラビング処理等の所定の配向処理が施された配向膜が設けられている。データ線１４は、少なくともこの対向電極としての部分については、ＩＴＯ膜等の透明導電膜から形成される。但し、データ線１４に代えて走査線１２を対向基板３２の側に形成する場合には、走査線１２が対向電極としての機能を果たすようにＩＴＯ膜等の透明導電膜から短冊状に形成される。
【００４８】
対向基板３２には、液晶表示パネル１０の用途に応じて、例えばストライプ状、モザイク状、トライアングル状等に配列された色材膜からなるカラーフィルタが設けられてもよく、更に、例えばクロムやニッケルなどの金属材料やカーボンやチタンをフォトレジストに分散した樹脂ブラックなどのブラックマトリクスが設けられていてもよい。
【００４９】
このように構成され、画素電極３４とデータ線１４とが対面するように配置されたＭＩＭアレイ基板３０と対向基板３２との間には、対向基板３２の周辺に沿って配置されるシール剤により囲まれた空間に液晶が封入され、液晶層１８（図４参照）が形成される。液晶層１８は、画素電極３４及びデータ線１４からの電界が印加されていない状態で前述の配向膜により所定の配向状態を採る。液晶層１８は、例えば一種又は数種類のネマティック液晶を混合した液晶からなる。シール剤は、両基板３０及び３２をそれらの周辺で張り合わせるための接着剤であり、両基板間の距離を所定値とするためのスペーサが混入されている。
【００５０】
図６は、液晶表示パネル１０の印加電圧（実効値）に対する透過率特性の一例を、ノーマリーホワイトモードの場合について示すグラフである。印加電圧は、オン状態とされたＭＩＭ駆動素子２０を介して画素電極３４及びその対向電極としてのデータ線１４に夫々供給される走査信号ＶＳとデータ信号ＶＤとの電圧差（ＶＳ−ＶＤ）に対応するが、実際には、液晶に直列に接続されたＭＩＭ駆動素子２０、走査線１２、データ線１４等の抵抗により、この電圧差よりも若干少ない電圧が印加電圧の実効値として液晶に印加される。そして、印加電圧がＶLCDmin以下の時は、当該画素電極に対応する画素における液晶部分は、透過率を最大とする所定の配向状態をとる。この状態は、最小の階調レベル（真白）に対応する。そして、印加電圧がＶLCDminを越えると、この画素における液晶の配向状態が変化し始め、印加電圧が増加するにつれて透過率は単調に減少する。そして、印加電圧がＶLCDmaxに達すると、この画素における液晶の配向状態の変化がほぼ止り、透過率もその最小値に飽和する。この状態は、最大の階調レベル（真黒）に対応する。従って、印加電圧（実効値）をＶLCDminとＶLCDmaxとの間で変化させれば、透過率をその最小値と最大値との間で変化させることが出来る。この結果、予め印加電圧と階調レベルとの関係を求めておき、これに基づいて、表示データの階調レベルに対応する印加電圧（実効値）を与える前述の電圧差（ＶＳ−ＶＤ）となるように走査信号及びデータ信号を供給すれば、この表示データを表示できる。
【００５１】
次に、以上のように構成された液晶表示パネルの動作を簡単に説明する。
【００５２】
図４において、走査信号駆動回路１００がＭＩＭ駆動素子２０に、後述の所定波形を持つパルス状の走査信号を線順次で送るのに合わせて、データ信号駆動回路１１０は、後述のように表示信号の階調レベルに応じて、選択期間内においてＭＩＭ駆動素子２０をオン状態とする電圧値をとる期間（以下、オン電圧印加期間という）が変化する２値のデータ信号を複数のデータ線１４に同時に送る。このように画素電極３４及びデータ線１４に電圧が印加されると、画素電極３４とデータ線１４とに挟まれた部分における液晶層１８の配向状態が、オン状態とされたＭＩＭ駆動素子２０を介して印加される印加電圧により変化し、この部分の透過率は、オン電圧印加期間の長さに応じた透過率に変化する。そして、ノーマリーホワイトモードであれば、印加電圧が印加された状態で入射光がこの液晶部分を通過不可能とされ、ノーマリーブラックモードであれば、印加電圧が印加された状態で入射光がこの液晶部分を通過可能とされ、全体として液晶表示パネル１０からは表示信号に応じたコントラストを持つ光が出射する。
【００５３】
（駆動回路の第１の実施の形態）
次に、図４に示した走査信号駆動回路１００及びデータ信号駆動回路１１０の第１の実施の形態における構成及び動作について図７から図１１を参照して説明する。図７は、走査信号ＶＳ及びデータ信号ＶＤの波形を隣接する２つのフィールドについて示した波形図であり、画素電極３４とデータ線１４（対向電極）との間で液晶層１８に印加される印加電圧を斜線領域の縦幅で示している。また、図８は、図７の場合と比べてオン電圧印加期間を長くした場合の波形図であり、図９は、図７の場合と比べてオン電圧印加期間を短くした場合の波形図である。
【００５４】
図７の波形図に示すように、本実施の形態では、走査信号駆動手段の一例を構成する走査信号駆動回路１００は、第ｎフィールドにおいて、選択期間ＴＳに相当する幅を持つと共に、電圧値がＶＳ１→ＶＳ２→ＶＳ３のように連続的に増加するパルスからなる走査信号ＶＳを生成するように構成されている。
【００５５】
また、データ信号駆動手段の一例を構成するデータ信号駆動回路１１０は、第ｎフィールドにおいて、オン電圧印加期間（Ｔ１〜Ｔ２）に走査信号ＶＳの電圧値との差（ＶＳ−（−ＶＤ））によりＭＩＭ駆動素子２０をオン状態にする電圧値（−ＶＤ）をとると共に選択期間ＴＳ内においてオン電圧印加期間（Ｔ１〜Ｔ２）を除くオフ電圧印加期間（Ｔ２〜Ｔ３）に走査信号ＶＳの電圧値との差（ＶＳ−（＋ＶＤ））によりＭＩＭ駆動素子２０をオフ状態にする電圧値（＋ＶＤ）をとるステップ状の２値のデータ信号を生成する。また、データ信号駆動回路１１０は、第ｎフィールドにおいて、選択期間ＴＳを除く非選択期間にＭＩＭ駆動素子２０をオフ状態にする電圧値（＋ＶＤ）をとるようにデータ信号ＶＤを生成する。
【００５６】
この場合、具体的な走査信号ＶＳ及びデータ信号ＶＤの電圧値は次のように設定されている。即ち、オン電圧印加期間（Ｔ１〜Ｔ２）において走査信号ＶＳが最小値ＶＳ１をとり且つデータ信号ＶＤが電圧値−ＶＤをとる場合、ＭＩＭ駆動素子２０に印加される端子電圧がしきい値Ｖthよりも大きくなり、オフ電圧印加期間（Ｔ２〜Ｔ３）における走査信号ＶＳが最大値ＶＳ３をとり且つデータ信号ＶＤが電圧値＋ＶＤをとる場合、ＭＩＭ駆動素子２０に印加される端子電圧がしきい値Ｖthよりも小さくなるように、各電圧値ＶＳ１、ＶＳ２、ＶＳ３及びＶＤが設定されている。このように設定すれば、オン電圧印加期間（Ｔ１〜Ｔ２）では、ＭＩＭ駆動素子はオン状態となり、オフ電圧印加期間（Ｔ２〜Ｔ３）では、ＭＩＭ駆動素子はオフ状態となる。
【００５７】
特にデータ信号駆動回路１００は、各フィールドにおいて、選択期間ＴＳ内において走査信号ＶＳの電圧値との差によりＭＩＭ駆動素子２０をオン状態にする電圧値をとるオン電圧印加期間（Ｔ１〜Ｔ２）を、選択期間ＴＳに対応する画素に表示すべき表示データの階調レベルに応じて変化させるように構成されている。
【００５８】
そして、走査信号駆動回路１００は、上述の波形の走査信号ＶＳをフィールド毎に反転して各走査線１２に供給し、これに対応して、データ信号駆動回路１１０は、上述の波形の２値のデータ信号におけるＭＩＭ駆動素子２０をオン状態とする電圧（−ＶＤ）とオフ状態にする電圧（＋ＶＤ）とをフィールド毎に反転して（即ち、第ｎ＋１フィールドでは、ＭＩＭ駆動素子２０をオン状態とする電圧（＋ＶＤ）とオフ状態にする電圧（−ＶＤ）を）各データ線１４に供給するように構成されている。このように、走査信号ＶＳ及びデータ信号ＶＤの電圧極性をフィールド毎に反転させるのは、液晶層１８を交流駆動することにより、液晶層１８の劣化を防ぐためである。更に、フリッカを防ぐ観点から、１又は２本の走査線１２毎に電圧極性を反転させるようにしてもよい。
【００５９】
以上のように構成された走査信号駆動回路１００及びデータ信号駆動回路１１０の第１の実施の形態によれば、第ｎフィールドでは、選択期間ＴＳにおいて、オン電圧印加期間（Ｔ１〜Ｔ２）の開始時点Ｔ１で、電圧差（ＶＳ１−（−ＶＤ））が、しきい値電圧Ｖthを越えることにより、ＭＩＭ駆動素子２０はオン状態とされる。従って、対応する画素における画素電極３４及びデータ線１４（対向電極）間の液晶層１８への充電が開始される。そして、このオン電圧印加期間（Ｔ１〜Ｔ２）では、走査信号ＶＳの電圧値は、ＶＳ１→ＶＳ２のように単調に増加するので、この電圧差（ＶＳ−（−ＶＤ））は、単調に増加し、ＭＩＭ駆動素子２０はオン状態に保たれたまま、液晶層１８への充電が続けられる。従って、このオン電圧印加期間（Ｔ１〜Ｔ２）では、液晶層１８に印加される印加電圧ΔＶは、走査信号ＶＳの増加に伴って増加する。
【００６０】
ここで図８に示すように、オン電圧印加期間（Ｔ１〜Ｔ２）の終了時点Ｔ２を遅くすれば、即ち、オン電圧印加期間（Ｔ１〜Ｔ２）を長くすれば、このオン電圧印加期間（Ｔ１〜Ｔ２）の終了時点Ｔ２における液晶層１８への印加電圧ΔＶは、その長くなった分の期間内に増加する走査信号ＶＳの変化分だけ増加することになる。他方、図９に示すように、オン電圧印加期間（Ｔ１〜Ｔ２）の終了時点Ｔ２を早くすれば、即ち、オン電圧印加期間（Ｔ１〜Ｔ２）を短くすれば、このオン電圧印加期間（Ｔ１〜Ｔ２）の終了時点Ｔ２における液晶層１８への印加電圧ΔＶは、その短くなった分の期間内に増加していた走査信号ＶＳの変化分だけ減少することになる。
【００６１】
そして図７から図９に示すように、オン電圧印加期間（Ｔ１〜Ｔ２）が終了して、オフ電圧印加期間（Ｔ２〜Ｔ３）になると、ＭＩＭ駆動素子２０はオフ状態となるので、液晶層１８に印加される印加電圧ΔＶは、液晶層１８やオフ状態にあるＭＩＭ駆動素子２０を流れる電流を無視すれば、一定値、即ち、オン電圧印加期間（Ｔ１〜Ｔ２）の終了時点Ｔ２で印加される電圧値に保たれる。そして、非選択期間を通じて、例えば次のフィールドで再びＭＩＭ駆動素子２０がオン状態とされるまで、ＭＩＭ駆動素子２０がオフ状態とされているので、この印加電圧ΔＶは保持される。
【００６２】
この場合、次式（１）が成立すれば、非選択期間におけるＭＩＭ駆動素子２０を通した放電は無視できる。
【００６３】
ＶLCDmax  ＋  ＶＤ  ＜  Ｖth  ……（１）
即ち、非選択期間においてＭＩＭ駆動素子２０に印加される可能性のある最大電圧は、“ＶLCDmax  ＋  ＶＤ  ”であり、これがＭＩＭ駆動素子２０のしきい値Ｖthよりも小さければ、ＭＩＭ駆動素子は、当該非選択期間においてオフ状態を維持できる。
【００６４】
更に本実施の形態では、印加電圧ΔＶを所定範囲で変化させることにより階調レベルを所定範囲で変化させることが可能なように、走査信号ＶＳに係る電圧値ＶＳ１及びＶＳ３、データ信号ＶＤに係る電圧値ＶＤ（−ＶＤ）、ＭＩＭ駆動素子２０のしきい値電圧Ｖth、並びに印加電圧（実効値）に係る電圧値ＶLCDmax（白表示に対応）及びＶLCDmin（黒表示に対応）の相互の関係を次式（２）〜（４）のように設定する。
【００６５】
ＶS1  ＋  ＶＤ  −Ｖth  ≦  ＶLCDmin  ……  （２）
ＶS3  ＋  ＶＤ  −Ｖth  ≧  ＶLCDmax  ……  （３）
ＶS3  −  ＶＤ  −Ｖth  ≦  ＶLCDmin  ……  （４）
式（２）は、オン電圧印加期間（Ｔ１〜Ｔ２）を最も短く変調して、その終了時点Ｔ２を開始時点Ｔ１に一致させた場合には、白表示に相当する電圧値ＶLCDmin以下の印加電圧を、液晶層１８に印加可能である（即ち、電圧値ＶLCDminの印加電圧に対応する時点Ｔ２が時点Ｔ１と時点Ｔ３の間に実在する）ことを意味している。
【００６６】
式（３）は、オン電圧印加期間（Ｔ１〜Ｔ２）を最も長く変調して、その終了時点Ｔ２を終了時点Ｔ３に一致させた場合には、黒表示に相当する電圧値ＶLCDmax以上の印加電圧を、液晶層１８に印加可能である（即ち、電圧値ＶLCDmaxの印加電圧に対応する時点Ｔ２が時点Ｔ１と時点Ｔ３の間に実在する）ことを意味している。
【００６７】
式（４）は、オフ電圧印加期間（Ｔ２〜Ｔ３）においては、走査信号ＶＳの最高電圧値ＶＳ３を供給した際にも、印加電圧は白表示に相当する電圧ＶLCDmin以下の電圧である（即ち、オフ電圧印加期間に印加される印加電圧は走査信号ＶＳが最高値をとる場合でも、印加電圧ΔＶに悪影響を及ぼさない程度に小さい）ことを意味している。
【００６８】
以上のようにＭＩＭ駆動素子２０はオン状態又はオフ状態とされるので、データ信号駆動回路１１０により、オン電圧印加期間（Ｔ１〜Ｔ２）を、選択期間ＴＳに対応する画素に表示すべき表示データの階調レベルに応じて、フィールド毎に変調すると、対応する画素における液晶層１８に印加される印加電圧ΔＶが、階調レベルに応じてフィールド毎に変化する。この結果、対応する画素における透過率が、階調レベルに応じてフィールド毎に変化することとなり、表示データに応じて液晶表示パネル１０における階調表示が行われる。例えば、８ビットの階調レベルを示す表示データを入力として、オン電圧印加期間（Ｔ１〜Ｔ２）の終了時点Ｔ２を、Ｔ１〜Ｔ３の間で２５６通りに変化させることにより、２５６階調の多階調表示が液晶表示パネル１０上で得られ、この場合、ＲＧＢのカラー表示とすれば、ＲＧＢの３つのフィールドからなるフレーム画像上では、２５６×２５６×２５６＝１６７７万色の多階調表示が得られる。
【００６９】
次に、以上説明したデータ信号ＶＤを発生するデータ信号駆動回路１１０のより具体的な構成について図１０及び図１１を参照して説明する。
【００７０】
図１０のブロック図に示すように、データ信号駆動回路１１０は、Ｘカウンタ１１１、ＧＣＰ生成回路１１２及びＸドライバ回路１１３を備えて構成されている。
【００７１】
データ信号駆動回路１１０には、例えば２５６通りの階調レベル（階調レベル０〜２５５）のうちの一つのレベルを示す８ビットＤ０〜Ｄ７のデジタル信号が各画素について夫々入力され、更に、垂直同期信号ＨSYNC及びＸドライバ回路１１３駆動用の基準クロックＸＣＫが入力される。
【００７２】
ＧＣＰ生成回路１１２は、例えば、２５５個の比較回路及びこれらの比較結果の論理和を演算する論理和回路から構成されており、これらの比較回路により、ＨSYNC毎にリセットされ基準クロックＸＣＫ毎にカウントアップされるＸカウンタ１１１のカウント値を、階調レベルに対するオン電圧印加期間（Ｔ１〜Ｔ２）の変化幅に基づいて設定された２５５通りの電圧値と比較する。このようなオン電圧印加期間の変化幅は、液晶表示装置個々の特性に依存するものであり、当該液晶表示装置について予め実験的、理論的、シュミレーション等により求められる。
【００７３】
そして、これらの比較回路の比較結果の論理和を演算することにより、その演算出力として、２５６通りの階調レベルに応じたオン電圧印加期間の変化幅に対応して間隔が異なる１選択期間当たり２５５個のパルスの列からなるＧＣＰ信号を生成する。このように生成されたＧＣＰ信号は、Ｘドライバ回路１１３のＧＣＰ入力端子に供給される。
【００７４】
Ｘドライバ回路１１３は、例えば２５６階調の８ビットの入力デジタル信号Ｄ０〜Ｄ７が入力されると、基準クロックＸＣＫに基づいて、このデジタル信号Ｄ０〜Ｄ７を複数のデータ線１４と一対一対応となっている所定の内部レジスタに保持する。以上のようなデジタル信号Ｄ０〜Ｄ７に対応するＸドライバ回路２１６の内部レジスタへの転送を順次行うことにより、１水平ライン分のデジタル信号が全てこの内部レジスタ内に保持されることになる。内部レジスタからは、ＬＰ信号をトリガとして、ＧＣＰ生成回路１１２から入力された１選択期間当たり２５５個のパルスの列からなるＧＣＰ信号に従って、オン電圧印加期間が、内部レジスタ内の８ビットのデジタル値が示す階調レベルに対応した幅となるように終了時点Ｔ２で電圧が変化するデータ信号ＶＤが発生される。
【００７５】
図１１に示すように、ＧＣＰ生成回路１１２から出力されるＧＣＰ信号は、ＦＲ信号に示される１選択期間当たり２５５個のパルスの列からなる。そして、Ｘドライバ回路１１３では、このＧＣＰ信号に従って、オン電圧印加期間が、例えば、内部レジスタ内の８ビットのデジタル値が示す階調レベル“２”に対応した幅となるように、終了時点Ｔ２で電圧が−ＶＤから＋ＶＤに変化するデータ信号ＶＤが発生される（図１１の中段参照）。或いは、例えば、階調レベル“５”に対応した幅となるように、終了時点Ｔ２で電圧が−ＶＤから＋ＶＤに変化するデータ信号ＶＤが発生される（図１１の下段参照）。
【００７６】
尚、本実施の形態では好ましくは、データ信号駆動回路１００により変化されるオン電圧印加期間（Ｔ１〜Ｔ２）が最小となる場合の、即ちＴ２を最もＴ１側に近付けるか又はＴ１に一致させた場合の、終了時点Ｔ２における電圧差（ＶＳ−（−ＶＤ））が、図６に示した透過率の変化を開始する電圧ＶLCDmimに相当し、オン電圧印加期間（Ｔ１〜Ｔ２）が最大となる場合の、即ちＴ２を最もＴ３側に近付けるか又はＴ３に一致させた場合の、終了時点Ｔ２における電圧差（ＶＳ−（−ＶＤ））が図６に示した透過率が飽和する電圧ＶLCDmaxに相当するように、走査信号ＶＳ及びデータ信号ＶＤの各電圧値ＶＳ１、ＶＳ２、ＶＳ３及びＶＤは設定されている。従って、液晶表示パネル１０の透過率が変化する全範囲を利用して、多階調表示が行われることになる。しかも、選択期間の全範囲を利用してオン電圧印加期間を変調することにより、階調レベルの１レベルの変化に対応するオン電圧印加期間の変化の幅を最大限に大きくすることが出来、データ信号駆動回路１００におけるオン電圧印加期間を変調するための基準クロックＸＣＫの周波数を低く抑えられる。
【００７７】
以上詳細に説明したように、本実施の形態によれば、パルス幅変調の要領で、オン電圧印加期間を変調することにより階調表示を行えるので、従来の技術のように階調数に応じた多数の電圧レベルを発生させる回路や、多数の電圧レベルをスイッチング制御する回路を必要とせず、比較的簡単な構成を有する走査信号駆動回路１００及びデータ信号駆動回路１１０を用いて、多階調で高品位の画像表示を行える。
【００７８】
（駆動回路の第２の実施の形態）
次に、図４に示した走査信号駆動回路１００及びデータ信号駆動回路１１０の第２の実施の形態における構成及び動作について図１２を参照して説明する。図１２は、走査信号ＶＤ及びデータ信号ＶＳの波形を隣接する２つのフィールドについて示した波形図である。
【００７９】
図１２の信号波形図に示すように、本実施の形態では、第１の実施の形態の場合と異なり、走査信号駆動回路１００は、電圧値がＶＳ１→ＶＳ２→ＶＳ３のように連続的に減少するパルスからなる走査信号ＶＳを生成するように構成されている。
【００８０】
また、データ信号駆動回路１１０は、第１の実施の形態と０Ｖを中心に＋ＶＤと−ＶＤを反転させたデータ信号ＶＤを生成し、選択期間（ＴＳ）の後半にオン電圧印加期間（Ｔ２〜Ｔ３）を設け、Ｔ２を開始時点として移動させることにより、液晶に印加される印加電圧を変化させるように構成されている。
【００８１】
以上のように構成された第２の実施の形態によれば、オン電圧印加期間（Ｔ２〜Ｔ３）では、走査信号ＶＳの電圧値は、ＶＳ２→ＶＳ３のように単調に減少するので、オン電圧印加期間（Ｔ２〜Ｔ３）のうち実際にＭＩＭ駆動素子２０をオン状態とするのはＴ２の開始時点のみの一瞬であり、液晶層電位はＶＳ２＋ＶＤ−Ｖthとなる。その直後のＭＩＭ駆動素子２０への印加電圧は単調に減少し続けるため、オフ状態となり続ける。従って、オン電圧印加期間（Ｔ２〜Ｔ３）における液晶層に印加される印加電圧ΔＶは、Ｔ２の開始時点で決定される。
【００８２】
ここで、オン電圧印加期間（Ｔ２〜Ｔ３）の開始時点Ｔ２を遅くすれば、ＭＩＭ駆動素子２０がオン状態となった時点での印加電圧ΔＶが減少していくため、図６に示した透過率の変化が開始する電圧ＶLCDminに近付くことになる。他方、オン電圧印加期間（Ｔ２〜Ｔ３）の開始時点Ｔ２を早くすれば、ＭＩＭ駆動素子２０がオン状態となった時点での印加電圧ΔＶが増加していくため、図６に示した透過率が飽和する電圧ＶLCDmaxに近付くことになる。そして、Ｔ２の開始時点以外では、ＭＩＭ駆動素子２０はオフ状態となるので、印加電圧ΔＶは、オン電圧印加期間の開始時点Ｔ２で印加される電圧値に、次のフィールドでＭＩＭ駆動素子２０がオン状態とされるまで保たれる。
【００８３】
従って、第２の実施の形態の場合にも、データ信号駆動回路１１０により、オン電圧印加期間を、表示データの階調レベルに応じて、（開始時点Ｔ２を移動させることにより）フィールド毎に変調すると、印加電圧ΔＶが、階調レベルに応じて変調され、階調表示が行われる。
【００８４】
尚、第２の実施の形態において好ましくは、オン電圧印加期間（Ｔ２〜Ｔ３）が最小となる場合の開始時点Ｔ２における電圧差が、電圧ＶLCDmimに相当し、オン電圧印加期間（Ｔ２〜Ｔ３）が最大となる場合の開始時点Ｔ２における電圧差が電圧ＶLCDmaxに相当するように、走査信号ＶＳ及びデータ信号ＶＤの各電圧値は設定される。
【００８５】
（駆動回路の第３の実施の形態）
次に、図４した走査信号駆動回路１００及びデータ信号駆動回路１１０の第３の実施の形態における構成及び動作について図１３を参照して説明する。図１３は、走査信号ＶＤ及びデータ信号ＶＳの波形を隣接する２つのフィールドについて示した波形図である。
【００８６】
図１３の信号波形図に示すように、本実施の形態では、第１の実施の形態の場合と異なり、走査信号駆動回路１００は、階調レベルに応じたオン電圧印加期間（Ｔ１〜Ｔ２）の変化が等間隔になるように、電圧値がＶＳ１→ＶＳ２→ＶＳ３のように非線形に増加するパルスから成る走査信号ＶＳを生成する。このため走査信号駆動回路１００は特に、矩形又は単調増加又は減少するパルスの出力段に、このような波形のパルスに整形する波形整形回路を備えて構成されている。
【００８７】
また、データ信号駆動回路１１０は、第１の実施の形態とほぼ同様のデータ信号ＶＤを生成するが、第１の実施の形態の場合とは異なり、オン電圧印加期間を、階調レベルに応じて単純に等間隔に変化させるように構成されている。
【００８８】
一般には、液晶表示装置においては、走査信号の電圧値に対し、液晶表示パネルの透過率は非線形な特性を示す。より具体的には、仮にＭＩＭ駆動素子をオン状態にする条件下で、データ信号の電圧値を固定して、走査信号の電圧値を一定の割合で変化させても、液晶表示パネルにおける階調レベルは一定の割合では変化しない。第１の実施の形態の場合にも、走査信号ＶＳを選択期間ＴＳに一定傾きで増加するように設定したので、オン電圧印加期間の変化は階調レベルに応じて等間隔にはならない。この場合には、例えば、前述のＧＣＰ信号を用いて、階調レベルが高くなる程、オン電圧印加期間の変化幅を徐々に小さくせねばならない。しかるに本実施の形態では、予め液晶表示装置における印加電圧に対する透過率の非線形特性を調べておき、この非線形に合わせて、走査信号ＶＳのパルスの電圧変化曲線が設定される。このように設定すれば、オン電圧印加期間の変化幅を階調レベルに応じて等間隔にできる。このため、走査信号ＶＳの電圧値に対する液晶表示パネルの透過率が非線形な特性を示す液晶表示装置においても、該非線形な特性に拘わらず、オン電圧印加期間の変化幅が階調レベルに応じて等間隔とされる。
【００８９】
以上の結果、データ信号駆動回路１１０において、オン電圧印加期間の変化幅の制御を、例えば等間隔のパルス列からなるＧＣＰ信号（図１１参照）に基づいて容易に行える。
【００９０】
尚、第３の実施の形態においても好ましくは、第１の実施の形態の場合と同様に、オン電圧印加期間が最小となる場合の終了時点Ｔ２における電圧差が、電圧ＶLCDmimに相当し、オン電圧印加期間が最大となる場合の終了時点Ｔ２における電圧差が電圧ＶLCDmaxに相当するように、走査信号ＶＳ及びデータ信号ＶＤの各電圧値は設定されている。
【００９１】
（駆動回路の変形形態）
以上説明した各実施の形態では、オン電圧印加期間は、選択期間ＴＳの開始時点に重ねられたＴ１に始まり、階調レベルに応じて位置が変化する選択期間ＴＳ内の任意の時点Ｔ２までとされている。しかしながら、オン電圧印加期間の開始時点Ｔ１を、選択期間ＴＳの開始時点よりも一定時間だけ遅い時点に設定してもよい。また、オン電圧印加期間の終了時点Ｔ３を、選択期間ＴＳの終了時点よりも一定時間だけ早い時点に設定してもよい。
【００９２】
以上説明した各実施の形態では、オン電圧印加期間の終了時点Ｔ２を階調レベルに応じて前後させることにより印加電圧を変調するようにしている。しかしながら、オン電圧印加期間の終了時点Ｔ２を固定して、開始時点Ｔ１を階調レベルに応じて前後させることにより、或いは、開始時点Ｔ１及び終了時点Ｔ２の両方を階調レベルに応じて前後させることにより、オン電圧印加期間の長さを変えて印加電圧を変調してもよい。
【００９３】
以上説明した各実施の形態では、選択期間内において、オン電圧印加期間がオフ電圧印加期間の前にくるタイミングで走査信号とデータ信号とを同期させている。しかしながら、選択期間内において、オフ電圧印加期間がオン電圧印加期間の前にくるタイミングで走査信号とデータ信号とを同期させてもよい。
【００９４】
以上説明した各実施の形態では、データ信号ＶＤは、電圧値＋ＶＤ及び−ＶＤをとる２値データである。しかしながら、データ信号は、電圧値０Ｖを基準とする電圧値（波高値）＋ＶＤの正のパルス及び電圧値−ＶＤの負のパルスを有する３値データであってもよい。また、２値データの場合でも、２値が＋ＶＤ及び−ＶＤである必然性は無く、０Ｖ及び＋ＶＤ（又は−ＶＤ）の２値データであってもよい。いずれの場合にも、各実施例で説明した通りの走査信号とデータ信号との間における時間的及び電位的な関係が得られるようにすれば、各実施の形態と同様の作用と効果が得られる。
【００９５】
以上説明した各実施の形態では、走査信号ＶＳにバイアス電圧を印加していない。しかしながら、図１４に示すように、走査信号ＶＳに対し、バイアス電圧を印加してもよい。より具体的には、走査信号駆動回路１００により、非選択期間において、例えば＋側のパルスの後には＋Ｖnsのバイアス電圧を印加し、−側のパルスの後には−Ｖnsのバイアス電圧を印加して走査信号ＶＳを生成してもよい。特にこのようにバイアス電圧を印加すると、前述した式（１）の代わりに次式（５）及び（６）が成立することが要求される。
【００９６】
＋側のパルスからなる走査信号ＶＳに対し：
（ＶLCDmax  −Ｖns）＋  ＶＤ  ＜  Ｖth  ……（５）
−側のパルスからなる走査信号ＶＳに対し：
（Ｖns  −  ＶLCDmin）  ＋  ＶＤ  ＜  Ｖth  ……（６）
従って、Ｖnsを（ＶLCDmax  ＋  ＶLCDmin）×１／２程度とすることにより、データ信号ＶＤのとり得る範囲が拡大され、マージンが広がり、データ信号駆動回路１００の設計が容易になる。
【００９７】
以上のように、走査信号駆動回路１００及びデータ信号駆動回路１１０が選択期間内でオン電圧印加期間を変えることにより走査信号が増加又は減少する期間を変える構成を有する限り、各種の変形形態によっても、液晶表示パネル１０の階調制御が可能となる。
【００９８】
以上説明した液晶表示パネル１０は、例えばカラー液晶プロジェクタに適用される場合には、３つの液晶表示パネル１０がＲＧＢ用のライトバルブとして夫々用いられ、各パネルには夫々ＲＧＢ色分解用のダイクロイックミラーを介して分解された各色の光が入射光として夫々入射されることになるので、対向基板３２上にカラーフィルタを設ける必要はない。他方、液晶表示パネル１０は、例えば直視型や反射型のカラー液晶テレビに適用される場合には、画素電極３４に対向する所定領域にＲＧＢのカラーフィルタをその保護膜と共に、対向基板３２上に形成してもよい。
【００９９】
液晶表示パネル１０において、ＭＩＭアレイ基板３０側における液晶分子の配向不良を抑制するために、画素電極３４、ＭＩＭ駆動素子２０、走査線１２等の全面に平坦化膜をスピンコート等で塗布してもよく、又はＣＭＰ処理を施してもよい。
【０１００】
また、以上の実施の形態では、所謂“４値駆動法”に基づいて、オン電圧印加期間を変調することにより階調表示を行うようにしたが、本発明によれば、例えば特開平２−１２５２２５号公報等に開示された充放電駆動法に基づいて同様に階調表示を行うことも可能である。
【０１０１】
更に、液晶表示パネル１０においては、一例として液晶層１８をネマティック液晶から構成したが、液晶を高分子中に微小粒として分散させた高分子分散型液晶を用いれば、前述の配向膜、偏光フィルム、偏光板等が不要となり、光利用効率が高まることによる液晶表示パネルの高輝度化や低消費電力化の利点が得られる。更に、画素電極３４をＡｌ等の反射率の高い金属膜から構成することにより、液晶表示パネル１０を反射型液晶表示装置に適用する場合には、電圧無印加状態で液晶分子がほぼ垂直配向されたＳＨ（スーパーホメオトロピック）型液晶などを用いても良い。更にまた、液晶表示パネル１０においては、液晶層に対し垂直な電界（縦電界）を印加するように対向基板３２の側にデータ線１４を設けているが、液晶層に平行な電界（横電界）を印加するように一対の横電界発生用の電極から画素電極３４を夫々構成する（即ち、対向基板３２の側には縦電界発生用の電極を設けることなく、ＭＩＭアレイ基板３０の側に横電界発生用の電極を設ける）ことも可能である。このように横電界を用いると、縦電界を用いた場合よりも視野角を広げる上で有利である。その他、各種の液晶材料（液晶相）、動作モード、液晶配列、駆動方法等に本実施の形態を適用することが可能である。
【０１０２】
（電子機器）
次に、以上詳細に説明した液晶表示パネル１０、走査信号駆動回路１００及びデータ信号駆動回路１１０を備えた電子機器の実施の形態について図１５から図１９を参照して説明する。
【０１０３】
先ず図１５に、このように液晶表示パネル１０等を備えた電子機器の概略構成を示す。
【０１０４】
図１５において、電子機器は、表示情報出力源１０００、表示情報処理回路１００２、前述の走査信号駆動回路１００及びデータ信号駆動回路１１０を含む駆動回路１００４、前述の液晶表示パネル１０、クロック発生回路１００８並びに電源回路１０１０を備えて構成されている。表示情報出力源１０００は、ＲＯＭ（Read  Only  Memory）、ＲＡＭ（Random  Access  Memory）、光ディスク装置などのメモリ、同調回路等を含み、クロック発生回路１００８からのクロックに基づいて、所定フォーマットのビデオ信号などの表示情報を表示情報処理回路１００２に出力する。表示情報処理回路１００２は、増幅・極性反転回路、相展開回路、ローテーション回路、ガンマ補正回路、クランプ回路等の周知の各種処理回路を含んで構成されており、クロックに基づいて入力された表示情報から前述の８ビットの２５６階調のデジタル信号DATA（Ｄ０〜Ｄ７）を順次生成し、クロックCLKと共に駆動回路１００４に出力する。駆動回路１００４は、走査信号駆動回路１００及びデータ信号駆動回路１１０によって前述の駆動方法により液晶表示パネル１０を駆動する。電源回路１０１０は、上述の各回路に所定電源を供給する。尚、液晶表示パネル１０を構成するＭＩＭアレイ基板の上に、駆動回路１００４を搭載してもよく、これに加えて表示情報処理回路１００２を搭載してもよい。
【０１０５】
次に図１６〜図１９に、このように構成された電子機器の具体例を夫々示す。
【０１０６】
図１６において、電子機器の一例たる液晶プロジェクタ１１００は、上述した駆動回路１００４がＭＩＭアレイ基板上に搭載された液晶表示パネル１０を含む液晶表示モジュールを３個用意し、夫々ＲＧＢ用のライトバルブ１０Ｒ、１０Ｇ及び１０Ｂとして用いた投射型プロジェクタとして構成されている。液晶プロジェクタ１１００では、白色光源のランプユニット１１０２から投射光が発せられると、ライトガイド１１０４の内部で、複数のミラー１１０６を介して、２枚のダイクロイックミラー１１０８によって、ＲＧＢの３原色に対応する光成分Ｒ、Ｇ、Ｂに分けられ、各色に対応するライトバルブ１０Ｒ、１０Ｇ及び１０Ｂに夫々導かれる。そして、ライトバルブ１０Ｒ、１０Ｇ及び１０Ｂにより夫々変調された３原色に対応する光成分は、ダイクロイックプリズム１１１２により再度合成された後、投写レンズ１１１４を介してスクリーンなどにカラー画像として投写される。
【０１０７】
図１７において、電子機器の他の例たるラップトップ型のパーソナルコンピュータ１２００は、上述した液晶表示パネル１０がトップカバーケース内に備えられており、更にＣＰＵ、メモリ、モデム等を収容すると共にキーボード１２０２が組み込まれた本体１２０４を備えている。
【０１０８】
図１８において、電子機器の他の例たるページャ１３００は、金属フレーム１３０２内に前述の駆動回路１００４がＭＩＭアレイ基板上に搭載されて液晶表示モジュールをなす液晶表示パネル１０が、バックライト１３０６ａを含むライトガイド１３０６、回路基板１３０８、第１及び第２のシールド板１３１０及び１３１２、二つの弾性導電体１３１４及び１３１６、並びにフィルムキャリアテープ１３１８と共に収容されている。この例の場合、前述の表示情報処理回路１００２（図１５参照）は、回路基板１３０８に搭載してもよく、液晶表示パネル１０のＭＩＭアレイ基板上に搭載してもよい。更に、前述の駆動回路１００４を回路基板１３０８上に搭載することも可能である。
【０１０９】
尚、図１８に示す例はページャであるので、回路基板１３０８等が設けられている。しかしながら、駆動回路１００４や更に表示情報処理回路１００２を搭載して液晶表示モジュールをなす液晶表示パネル１０の場合には、金属フレーム１３０２内に液晶表示パネル１０を固定したものを液晶表示装置として、或いはこれに加えてライトガイド１３０６を組み込んだバックライト式の液晶表示装置として、生産、販売、使用等することも可能である。
【０１１０】
また図１９に示すように、駆動回路１００４や表示情報処理回路１００２を搭載しない液晶表示パネル１０の場合には、駆動回路１００４や表示情報処理回路１００２を含むＩＣ１３２４がポリイミドテープ１３２２上に実装されたＴＣＰ（Tape  Carrier  Package）１３２０に、ＭＩＭアレイ基板３０の周辺部に設けられた異方性導電フィルムを介して物理的且つ電気的に接続して、液晶表示装置として、生産、販売、使用等することも可能である。
【０１１１】
以上図１６から図１９を参照して説明した電子機器の他にも、液晶テレビ、ビューファインダ型又はモニタ直視型のビデオテープレコーダ、カーナビゲーション装置、電子手帳、電卓、ワードプロセッサ、ワークステーション、携帯電話、テレビ電話、ＰＯＳ端末、タッチパネルを備えた装置等などが図１５に示した電子機器の例として挙げられる。
【０１１２】
以上説明したように、本実施の形態によれば、比較的簡易な構成を持ち、多階調表示が可能であり且つ階調表示における信頼性が高い液晶表示装置を備えた各種の電子機器を実現できる。
【０１１３】
【発明の効果】
以上の本発明の液晶表示パネルの駆動装置によれば、データ信号が２端子型非線形素子をオン状態とする電圧値をとる第１期間を表示データの階調レベルに応じて変化させる（変調する）ことにより階調表示を行えるので、従来の技術のように階調数に応じた多数の電圧レベルを発生させる手段や、多数の電圧レベルを有するデータ信号を行毎に同時に供給する手段を必要とせず、比較的簡単な構成を有する走査信号駆動回路及びデータ信号駆動回路を用いて、多階調の画像表示を可能ならしめる液晶表示パネルの駆動装置を実現できる。
また、比較的簡単な構成を有する走査信号駆動回路及びデータ信号駆動回路を用いて、選択期間毎に階調レベルを安定して変更可能な液晶表示パネルの駆動装置を実現できる。
また、より簡単な構成を有する走査信号駆動回路及びデータ信号駆動回路を用いて、多階調の画像表示を可能ならしめる液晶表示パネルの駆動装置を実現できる。
また、比較的簡単な構成を有する走査信号駆動回路及びデータ信号駆動回路を用いて、当該液晶の透過率が変化する全範囲を利用して階調表示可能な液晶表示パネルの駆動装置を実現できる。
また、表示データの階調レベルに応じて第１期間を変化させて階調制御を行う際に、第１期間の変化が階調レベルに応じて等間隔となるので、液晶表示パネルや駆動回路の非線形な特性によらず、データ信号駆動手段における第１期間の変化（例えば、パルス幅変調）の制御が簡易化できる。
また、データ信号における２端子非線形素子をオン状態にする電圧値及びオフ状態にする電圧値がとりうる値の範囲が広がるので、２端子型非線形素子のオン／オフ状態の切換えを安定に行うことが出来ると共に、当該駆動回路の回路設計に余裕が出来る。
また、経済性及び階調動作の信頼性に優れており、多階調表示が可能な、液晶プロジェクタ、パーソナルコンピュータ、ページャ等の様々な電子機器を実現できる。
【図面の簡単な説明】
【図１】  本発明による液晶表示パネルの実施の形態に備えられるＭＩＭ駆動素子の一例を画素電極と共に示す平面図である。
【図２】  図１のＡ−Ａ断面図である。
【図３】  ＭＩＭ駆動素子の電圧−電流特性を示すグラフである。
【図４】  液晶表示パネルの実施の形態を構成する回路を示す等価回路図である。
【図５】  液晶表示パネルの実施の形態を模式的に示す部分破断斜視図である。
【図６】  液晶表示パネルにおける印加電圧に対する透過率特性を示すグラフである。
【図７】  駆動回路の第１の実施の形態により発生される走査信号及びデータ信号を示す波形図（その１）である。
【図８】  駆動回路の第１の実施の形態により発生される走査信号及びデータ信号を示す波形図である（その２）。
【図９】  駆動回路の第１の実施の形態により発生される走査信号及びデータ信号を示す波形図である（その３）。
【図１０】  駆動回路の第１の実施の形態におけるデータ信号駆動回路のブロック図である。
【図１１】  駆動回路の第１の実施の形態におけるデータ信号駆動回路により、ＧＣＰ信号を用いて階調レベルに対応したデータ信号を生成する様子を示すタイミングチャートである。
【図１２】  駆動回路の第２の実施の形態により発生される走査信号及びデータ信号を示す波形図である。
【図１３】  駆動回路の第３の実施の形態により発生される走査信号及びデータ信号を示す波形図である。
【図１４】  駆動回路の変形形態により発生される走査信号を示す波形図である。
【図１５】  本発明による電子機器の実施の形態の概略構成を示すブロック図である。
【図１６】  電子機器の一例としての液晶プロジェクタを示す断面図である。
【図１７】  電子機器の他の例としてのパーソナルコンピュータを示す正面図である。
【図１８】  電子機器の一例としてのページャを示す分解斜視図である。
【図１９】  電子機器の一例としてのＴＣＰを用いた液晶表示装置を示す斜視図である。
【図２０】  データ信号のパルス振幅変調の基本原理を示す波形図である。
【図２１】  ２値データ信号における選択期間とオンオフの変化の関係を示す波形図である。
【符号の説明】
１０…液晶表示パネル
１２…走査線
１４…データ線
１８…液晶層
２０…ＭＩＭ駆動素子
３０…ＭＩＭアレイ基板
３２…対向基板
３４…画素電極
１００…走査線駆動回路
１１０…データ信号駆動回路
１１１…Ｘカウンタ
１１２…ＧＣＰ生成回路
１１３…Ｘドライバ回路
１１００…液晶プロジェクタ
１２００…パーソナルコンピュータ
１３００…ページャ
【図１】
0003677969.tif 000002
【図２】
0003677969.tif 000003
【図３】
0003677969.tif 000004
【図４】
0003677969.tif 000005
【図５】
0003677969.tif 000006
【図６】
0003677969.tif 000007
【図７】
0003677969.tif 000008
【図８】
0003677969.tif 000009
【図９】
0003677969.tif 000010
【図１０】
0003677969.tif 000011
【図１１】
0003677969.tif 000012
【図１２】
0003677969.tif 000013
【図１３】
0003677969.tif 000014
【図１４】
0003677969.tif 000015
【図１５】
0003677969.tif 000016
【図１６】
0003677969.tif 000017
【図１７】
0003677969.tif 000018
【図１８】
0003677969.tif 000019
【図１９】
0003677969.tif 000020
【図２０】
0003677969.tif 000021
【図２１】
0003677969.tif 000022